(57)【要約】      （修正有）【課題】より簡易な構成で、所定の電圧の直流電力供給をする電源装置を提供する。【解決手段】電源装置１００は、電池２００が接続される電池端子と、ＤＣ電源３００が接続される電源端子とを含み、ＤＣ電源または電池の電力を後段に供給する切替部１０２と、切替部から供給される直流の電力の電圧を、所定電圧の直流の電力に変換して出力するＤＣ−ＤＣコンバータ１０６と、を備える。ＤＣ−ＤＣコンバータから出力された電力の電流が第１所定値以上である場合、出力する電力の電流を第１所定値に制限して出力する出力電流制限回路１１０を備える。【選択図】図１
2020137189.tif 000002
【特許請求の範囲】
【請求項１】
電池が接続される電池端子と、ＤＣ電源が接続される電源端子とを含み、前記ＤＣ電源または前記電池の電力を後段に供給する切替部と、
前記切替部から供給される直流の前記電力の電圧を、所定電圧の直流の電力に変換して出力するＤＣ−ＤＣコンバータと、
を備える電源装置。
【請求項２】
前記ＤＣ−ＤＣコンバータから出力された前記電力の電流が第１所定値以上である場合、出力する電力の電流を前記第１所定値に制限して出力する出力電流制限回路を備える、請求項１に記載の電源装置。
【請求項３】
前記出力電流制限回路に所定の電気抵抗を直列接続する出力電圧調整回路を備える、
請求項２に記載の電源装置。
【請求項４】
前記ＤＣ−ＤＣコンバータに所定の電気抵抗を直列接続する出力電圧調整回路を備える、
請求項１に記載の電源装置。
【請求項５】
前記ＤＣ−ＤＣコンバータに接続され、前記ＤＣ−ＤＣコンバータから出力される前記電力の前記所定電圧を調整する出力電圧調整部を備える、
請求項１から４のいずれか１項に記載の電源装置。
【請求項６】
前記出力電圧調整部は、前記ＤＣ−ＤＣコンバータから出力される前記電力の前記所定電圧を、１．５Ｖ単位で調整可能である、
請求項５に記載の電源装置。
【発明の詳細な説明】
【技術分野】
【０００１】
本発明は、電源装置に関する。
【背景技術】
【０００２】
従来、交流電源から電力供給を受けて、所定の電圧の直流に変換して、電力供給をする電源装置がある。
【先行技術文献】
【特許文献】
【０００３】
【特許文献１】特開２００４−１９４４６３号公報
【発明の概要】
【発明が解決しようとする課題】
【０００４】
交流電源から電力供給を受ける電源装置では、交流電源を利用できない場所では、電力供給を行うことが難しい。そこで、電池から電力供給を受けて、所定の電圧の直流に変換して電力供給をする電源装置がある。電池から電力供給を受ける電源装置では、電池の寿命が尽きると、電源装置による電力供給が停止する。また、電池から電力供給を受ける電源装置であっても、交流の商用電源を利用できる場所では、商用電源を使用することが望ましい。このとき、電池から電力供給を受ける電源装置において、交流電源を直流電源に変換することが求められる。しかし、電池から電力供給を受ける電源装置において、交流電源を直流電源に変換する回路を含むと、電源装置の構成が複雑になり好ましくない。
【０００５】
本発明は、より簡易な構成で、所定の電圧の直流電力供給をする電源装置を提供することを課題とする。
【課題を解決するための手段】
【０００６】
上記課題を解決するために、以下の手段を採用する。
【０００７】
即ち、第１の態様は、
電池が接続される電池端子と、ＤＣ電源が接続される電源端子とを含み、前記ＤＣ電源または前記電池の電力を後段に供給する切替部と、
前記切替部から供給される直流の前記電力の電圧を、所定電圧の直流の電力に変換して出力するＤＣ−ＤＣコンバータと、
を備える電源装置とする。
第１の態様によると、供給される直流電流を所定電圧の直流電流に変換して出力する。
【０００８】
第２の態様は、さらに、
前記ＤＣ−ＤＣコンバータから出力された前記電力の電流が第１所定値以上である場合、出力する電力の電流を前記第１所定値に制限して出力する出力電流制限回路を備える、電源装置とする。
第２の態様によると、出力される電力の電流を第１所定値に制限することができる。
【０００９】
第３の態様は、さらに、
前記出力電流制限回路に所定の電気抵抗を直列接続する出力電圧調整回路を備える、
電源装置とする。
第３の態様によると、出力される電力の電圧を、電気抵抗により電圧降下させることができる。
【００１０】
第４の態様は、さらに、
前記ＤＣ−ＤＣコンバータに所定の電気抵抗を直列接続する出力電圧調整回路を備える、
電源装置とする。
第４の態様によると、出力される電力の電圧を、電気抵抗により電圧降下させることができる。
【００１１】
第５の態様は、さらに、
前記ＤＣ−ＤＣコンバータに接続され、前記ＤＣ−ＤＣコンバータから出力される前記電力の前記所定電圧を調整する出力電圧調整部を備える、
電源装置とする。
第５の態様によると、ＤＣ−ＤＣコンバータから出力される電力の電圧を調整することができる。
【００１２】
第６の態様は、さらに、
前記出力電圧調整部は、前記ＤＣ−ＤＣコンバータから出力される前記電力の前記所定電圧を、１．５Ｖ単位で調整可能である、
電源装置とする。
第６の態様によると、ＤＣ−ＤＣコンバータからの出力は、１．５Ｖ単位となる。第６の態様によると、電源装置は１．５Ｖの電池の模擬をすることができる。
【発明の効果】
【００１３】
本発明によれば、より簡易な構成で、所定の電圧の直流電力供給をする電源装置を提供することができる。
【図面の簡単な説明】
【００１４】
【図１】図１は、実施形態の電源装置の機能ブロックの構成例を示す図である。
【図２】図２は、電源装置１００の切替部１０２の構成例を示す図である。
【図３】図３は、第２出力電圧調整部１１２の構成例を示す図である。
【図４】図４は、電源装置１００の具体例１の平面図を示す。
【図５】図５は、電源装置１００の具体例１の底面図を示す。
【図６】図６は、電源装置１００の具体例１の正面図を示す。
【図７】図７は、電源装置１００の具体例１の背面図を示す。
【図８】図８は、電源装置１００の具体例１の右側面図を示す。
【図９】図９は、電源装置１００の具体例１の左側面図を示す。
【図１０】図１０は、電源装置１００の具体例２の平面図を示す。
【図１１】図１１は、電源装置１００の具体例２の底面図を示す。
【図１２】図１２は、電源装置１００の具体例２の正面図を示す。
【図１３】図１３は、電源装置１００の具体例２の背面図を示す。
【図１４】図１４は、電源装置１００の具体例２の右側面図を示す。
【図１５】図１５は、電源装置１００の具体例２の左側面図を示す。
【発明を実施するための形態】
【００１５】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１６】
〔実施形態〕
（構成例）
図１は、本実施形態の電源装置の機能ブロックの構成例を示す図である。図１の電源装置１００は、電池２００及びＤＣ（Direct Current）電源３００に接続される。電源装置１００は、切替部１０２、電源スイッチ１０４、ＤＣ−ＤＣコンバータ１０６、第１出力電圧調整部１０８、出力電流制限部１１０、第２出力電圧調整部１１２を含む。電源装置１００は、電池２００、または、ＤＣ電源３００から供給される直流電流を、所定の電圧の直流電流に変換して、接続される負荷に、電力供給を行う。
【００１７】
切替部１０２は、電源装置１００への電力供給元を、電池２００とＤＣ電源３００との間で切り替える回路である。切替部１０２は、電源装置１００にＤＣ電源３００が接続されている場合、電力供給元をＤＣ電源３００とする。切替部１０２は、電源装置１００にＤＣ電源３００が接続されていない場合、電力供給元を電池２００とする。切替部１０２は、後段に直流の電力を供給する。
【００１８】
図２は、電源装置１００の切替部１０２の構成例を示す図である。切替部１０２は、電池正極端子１０２１、電池負極端子１０２２、ＤＣ電源正極端子１０２３、スイッチ端子１０２４、ＤＣ電源負極端子１０２５、出力側正極端子１０２６、出力側負極端子１０２７を含む。電池正極端子１０２１は、電池２００の正極に接続される。電池負極端子１０２２は、電池２００の負極に接続される。ＤＣ電源正極端子１０２３は、出力側正極端子１０２６、電池正極端子１０２１に接続され、ＤＣ電源３００の正極に接続可能である。ＤＣ電源負極端子１０２５は、出力側負極端子１０２７に接続され、接地され、ＤＣ電源３００の負極に接続可能である。スイッチ端子１０２４は、電池負極端子１０２２に接続される。スイッチ端子１０２４は、ＤＣ電源３００が電源装置１００に接続されていない場合、ＤＣ電源負極端子１０２５に接続される。スイッチ端子１０２４は、ＤＣ電源３００が電源装置１００に接続されている場合、ＤＣ電源負極端子１０２５との接続が解除される。出力側正極端子１０２６、出力側負極端子１０２７は、電源スイッチ１０４に接続される。出力側正極端子１０２６、出力側負極端子１０２７が設けられずに、切替部１０２から電源スイッチ１０４への配線で、切替部１０２と電源スイッチ１０４とが接続されてもよい。電池２００が接続される電池正極端子１０２１、電池負極端子１０２２は、電池端子の一例である。ＤＣ電源３００が接続されるＤＣ電源正極端子１０２３、スイッチ端子１０２４、ＤＣ電源負極端子１０２５は、電源端子の一例である。電源端子にＤＣ電源３００が接続されているとき、電池端子に電池２００が接続されていなくてもよい。
【００１９】
切替部１０２によって、電源装置１００にＤＣ電源３００が接続された場合に、ＤＣ電源３００から出力側に電力が供給され、電源装置１００にＤＣ電源３００が接続されない場合に、電池２００から出力側に電力が供給される。切替部１０２によって、電源装置１００にＤＣ電源３００が接続された場合に、スイッチ端子１０２４とＤＣ電源負極端子１０２５との接続が解除されるため、電池２００から出力側に対して電力が供給されない。さらに、切替部１０２によって、電源装置１００にＤＣ電源３００が接続された場合に、スイッチ端子１０２４とＤＣ電源負極端子１０２５との接続が解除されるため、電池２００はＤＣ電源３００から充電されない。
【００２０】
切替部１０２は、他の構成により、電池２００とＤＣ電源３００とを切り替えてもよい。
【００２１】
電源スイッチ１０４は、切替部１０２からＤＣ−ＤＣコンバータ１０６への電力供給を、遮断したり、遮断を解除したりするスイッチである。電源スイッチ１０４は、切替部１０２とＤＣ−ＤＣコンバータ１０６との間に設けられる。電源スイッチ１０４は、スイッチと直列に接続されるＬＥＤ等のランプを含んでもよい。当該ランプにより、電源のＯＮ、ＯＦＦを視覚的に確認することができる。
【００２２】
ＤＣ−ＤＣコンバータ１０６は、電池２００またはＤＣ電源３００による直流電流を、所定の電圧の直流電流に変換して、出力する回路である。当該所定の電圧は、ＤＣ−ＤＣコンバータ１０６に接続される第１出力電圧調整部１０８によって調整される。ＤＣ−ＤＣコンバータ１０６は、例えば、リニア方式、スイッチング方式により電圧を変換する。
【００２３】
第１出力電圧調整部１０８は、ＤＣ−ＤＣコンバータ１０６から出力される直流電流の電圧を調整する。第１出力電圧調整部１０８は、ＤＣ−ＤＣコンバータ１０６に接続される。第１出力電圧調整部１０８は、例えば、可変抵抗である。第１出力電圧調整部１０８が可変抵抗である場合、ＤＣ−ＤＣコンバータ１０６から出力される電圧は、可変抵抗の抵抗値によって調整される。電源装置１００が１．５Ｖの電池の直列接続の出力を模擬する場合、第１出力電圧調整部１０８は、電池の数に応じて、ＤＣ−ＤＣコンバータ１０６から出力される電圧を、１．５Ｖ、３．０Ｖ、・・・、となるように調整されるようにしてもよい。即ち、第１出力電圧調整部１０８は、ＤＣ−ＤＣコンバータ１０６から出力される電圧を、１．５Ｖ単位で調整できるようにしてもよい。
【００２４】
出力電流制限部１１０は、ＤＣ−ＤＣコンバータ１０６から出力される電力の電流が第１所定値以上である場合、当該電流が第１所定値となるように制限する回路である。出力電流制限部１１０は、ＤＣ−ＤＣコンバータ１０６の出力側に接続される。正極側出力と負極側出力とが短絡した場合に、電源装置１００に大電流が流れ得る。大電流が流れ続けると、電源装置１００が故障する可能性がある。そこで、出力電流制限部１１０は、電源装置１００が故障しないように出力電流を制限する。また、大電流が人体に流れると危険である。第１所定値は、人体に流れると危険であると判断される電流値であってもよい。出力電流制限部１１０により、出力電流を所定の電流値（第１所定値）に制限することができる。第１所定値は、例えば、２Ａである。出力電流制限部１１０は、ＤＣ−ＤＣコンバータ１０６に内蔵されてもよい。出力電流制限部１１０は、出力電流制限回路の一例である。
【００２５】
第２出力電圧調整部１１２は、出力電流制限部１１０から出力される電力の電圧を低下するように調整する回路である。例えば、一般に、電池に負荷を接続する場合、当該負荷にかかる電圧は、電池の内部抵抗により電池に表示される電圧よりも低くなる。内部抵抗の影響は、負荷の抵抗が低いほど大きくなる。例えば、電池の内部抵抗に比べて負荷の抵抗が小さい場合、負荷にかかる電圧は電池の電圧の半分以下となる。そこで、電源装置１００が電池の出力を模擬する場合、第２出力電圧調整部１１２は、ＤＣ−ＤＣコンバータ１０６の正極側出力と電源装置１００の正極側出力との間に直列に抵抗（電気抵抗）を接続する。このとき、第１出力電圧調整部１０８が電池に表示される電圧に調整されることで、電源装置１００は内部抵抗を含む電池を模擬することができる。抵抗の抵抗値は、模擬する電池の内部抵抗の大きさと同等とする。電源装置１００に接続される負荷の抵抗値が模擬する電池の内部抵抗に比べて非常に大きい場合、第２出力電圧調整部１１２は、ＤＣ−ＤＣコンバータ１０６の正極側出力と電源装置１００の正極側出力との間に直列に抵抗を接続しなくてもよい。第２出力電圧調整部１１により、容易に、電池の内部抵抗を模擬することができる。第２出力電圧調整部１１２は、出力電圧調整回路の一例である。
【００２６】
図３は、第２出力電圧調整部１１２の構成例を示す図である。図３の第２出力電圧調整部１１２は、スイッチ１１２１と、抵抗１１２２とを含む。スイッチ１１２１の一端は、ＤＣ−ＤＣコンバータ１０６の正極側出力に常時接続される。スイッチ１１２１がＯＮである場合、スイッチ１１２１の他端が抵抗１１２２に接続される。スイッチ１１２１がＯＦＦである場合、スイッチ１１２１の他端が電源装置１００の正極側出力に直接接続される。即ち、スイッチ１１２１がＯＮである場合、スイッチ１１２１は、ＤＣ−ＤＣコンバータ１０６の正極側出力と電源装置１００の正極側出力との間に抵抗１１２２が設けられる。また、スイッチ１１２１がＯＦＦである場合、スイッチ１１２１は、ＤＣ−ＤＣコン
バータ１０６の正極側出力と電源装置１００の正極側出力とを短絡する。
【００２７】
第２出力電圧調整部１１２の出力の正極側が図示しない出力正極端子に接続され、負極側が図示しない出力負極端子に接続される。出力正極端子及び出力負極端子には、直流電流の電力の供給を受ける負荷が接続される。
【００２８】
第２出力電圧調整部１１２からの出力の正極側と、第２出力電圧調整部１１２からの出力の負極側との間に電圧計を設けることで、電源装置１００から出力される電力の電圧を測定することができる。電圧計には、アナログ表示またはデジタル表示の表示器が含まれてもよい。
【００２９】
電池２００は、所定の電圧の直流を供給する電池である。電池２００は、電源装置１００の切替部１０２の電池正極端子１０２１及び電池負極端子１０２２に接続される。電池２００は、一次電池であっても、二次電池であってもよい。
【００３０】
ＤＣ電源３００は、所定の電圧の直流を供給する電源である。ＤＣ電源３００は、例えば、ＡＣ（Alternative Current）アダプタである。ＡＣアダプタは、入力される交流電
流を直流電流に変換して出力する。ＤＣ電源３００は、電源装置１００と接続するコネクタを含む。ＤＣ電源３００は、例えば、商用電源などから電力供給を受ける。
【００３１】
電源装置１００は、第１出力電圧調整部１０８、第２出力電圧調整部１１２で、調整された電圧値で、接続される負荷（電力供給先）に対して電力を供給する。電源装置１００は、ＤＣ電源３００が接続されている場合に、ＤＣ電源３００から電力が供給され、ＤＣ電源３００が接続されていない場合に、電池２００から電力が供給される。電源装置１００から出力される電力の電流値、電圧値が固定である場合、第１出力電圧調整部１０８は設けられなくてもよい。また、電源装置１００から出力される電力の電流値が第１所定値を超えない場合、出力電流制限部１１０が設けられなくてもよい。電源装置１００に接続される負荷の抵抗が、電池の内部抵抗よりも十分大きい場合などには、第２出力電圧調整部１１２が設けられなくてもよい。
【００３２】
（具体例１）
図４から図９は、本実施形態の電源装置の具体例１の六面図を示す図である。図４は、電源装置１００の具体例１の平面図を示す。図５は、電源装置１００の具体例１の底面図を示す。図６は、電源装置１００の具体例１の正面図を示す。図７は、電源装置１００の具体例１の背面図を示す。図８は、電源装置１００の具体例１の右側面図を示す。図９は、電源装置１００の具体例１の左側面図を示す。
【００３３】
具体例１の電源装置１００の上面には、電源ランプ１３１、正極出力端子１３２、負極出力端子１３３、電圧調整つまみ１３４、電磁石モードスイッチ１３５が配置される。また、右側面、左側面、底面には、複数の通気口１３６が配置される。電源装置１００の背面には、スイッチ１３７、ＤＣジャック１３８が配置される。電源装置１００の内部には、ＤＣ−ＤＣコンバータ１０６等を含む基板、電池２００等が収容されている。正極出力端子１３２、負極出力端子１３３は、総称して出力端子ともいう。
【００３４】
電源装置１００の正面、右側面、背面、左側面は、上から下に向かって広がっている。電源装置１００の底面側には、空間があり、電源装置１００を積み重ねることで、電源装置１００の上面の端子等を覆って収納することができる。
【００３５】
正極出力端子１３２、負極出力端子１３３には、それぞれ、負荷の正極側、負極側が接続されて、負荷に直流による電力が供給される。
【００３６】
スイッチ１３７は、電源スイッチ１０４のスイッチに相当する。スイッチ１３７のＯＮ、ＯＦＦにより、電源装置１００の電源のＯＮ、ＯＦＦがされる。電源ランプ１３１は、電源スイッチ１０４に含まれ、電源装置１００の電源がＯＮにされているとき、点灯する。電源ランプ１３１は、例えば、ＬＥＤランプである。
【００３７】
電圧調整つまみ１３４は、第１出力電圧調整部１０８の可変抵抗に相当する。電圧調整つまみ１３４の周囲には、目盛りが記載され、調整される電圧値が記載されている。図４の例では、目盛りとして、１．５Ｖ、３．０Ｖ、４．５Ｖ、６．０Ｖ、７．５Ｖ、９．０Ｖの記載がされている。電圧調整つまみ１３４を調整することで、所望の電圧の電力が出力される。例えば、電圧調整つまみ１３４が３．０Ｖの目盛りに合わされると、ＤＣ−ＤＣコンバータ１０６の出力が、１．５Ｖの電池２個分に相当する３．０Ｖとなる。
【００３８】
電圧調整つまみ１３４は、１．５Ｖ、３．０Ｖ、４．５Ｖ、６．０Ｖ、７．５Ｖ、９．０Ｖのみに合わせられるようにしてもよい。即ち、電圧調整つまみ１３４は、１．５Ｖ単位で調整できるようにしてもよい。これにより、電源装置１００による電池の模擬が容易になる。ここでは、電圧調整つまみ１３４で合わせられる電圧を、１．５Ｖから９．０Ｖまでとしているが、この電圧は、これらに限定されるものではない。
【００３９】
電磁石モードスイッチ１３５は、第２出力電圧調整部１１２のスイッチ１１２１に相当する。電磁石モードスイッチ１３５は、ＯＮにされたとき、電池の内部抵抗に相当する抵抗を出力と直列に接続する。これにより、電源装置１００は、内部抵抗を含む電池を模擬することができる。電磁石（コイル）などの抵抗の低い負荷を接続するときに、電磁石モードスイッチ１３５をＯＮにすることは、電源装置１００で電池を模擬するのに有効である。例えば、直列の電池２個を電磁石につなぐことを模擬する場合には、電源装置１００の出力端子に電磁石を接続し、電圧調整つまみ１３４を電池２個分に相当する３．０Ｖの目盛りに合わせ、電磁石モード１３５をＯＮにする。これにより、ＤＣ−ＤＣコンバータ１０６からは、電池２個分の３．０Ｖの出力がなされ、電池の内部抵抗に相当する第２出力電圧調整部１１２の抵抗１１２２により電圧降下されて、電磁石に電力が出力される。抵抗１１２２と電磁石とは直列接続されていることになる。
【００４０】
ＤＣジャック１３８は、切替部１０２のＤＣ電源正極端子１０２３、スイッチ端子１０２４、ＤＣ電源負極端子１０２５に相当する。ＤＣジャック１３８には、ＤＣ電源３００が接続される。
【００４１】
通気口１３６は、電源装置１００の内部と外部とを連通する孔である。通気口１３６は、電源装置１００の内部に熱がこもらないようにする。
【００４２】
（具体例２）
図１０から図１５は、本実施形態の電源装置の具体例２の六面図を示す図である。図１０は、電源装置１００の具体例２の平面図を示す。図１１は、電源装置１００の具体例２の底面図を示す。図１２は、電源装置１００の具体例２の正面図を示す。図１３は、電源装置１００の具体例２の背面図を示す。図１４は、電源装置１００の具体例２の右側面図を示す。図１５は、電源装置１００の具体例２の左側面図を示す。ここでは、主として、具体例１と異なる点について説明し、具体例１と同様の点については説明を省略する。
【００４３】
具体例２の電源装置１００の上面には、電源ランプ１４１、正極出力端子１４２、負極出力端子１４３、電圧調整つまみ１４４、電圧表示器１４５が配置される。また、右側面、左側面、底面には、複数の通気口１４６が配置される。電源装置１００の背面には、スイッチ１４７、ＤＣジャック１４８が配置される。電源装置１００の内部には、ＤＣ−Ｄ
Ｃコンバータ１０６等を含む基板、電池２００等が収容されている。
【００４４】
電圧表示器１４５は、第２出力電圧調整部１１２からの出力の正極側と、第２出力電圧調整部１１２からの出力の負極側との間に接続される電圧計のデジタル表示器である。電圧表示器１４５は、電源装置１００から出力される電力の電圧をデジタル表示する。電圧表示器１４５は、電圧をアナログ表示するアナログ表示器であってもよい。
【００４５】
電圧調整つまみ１４４は、第１出力電圧調整部１０８の可変抵抗に相当する。電圧調整つまみ１４４の周囲には、目盛りが記載され、調整される電圧値が記載されている。電圧調整つまみ１４４を調整することで、所望の電圧の電力が出力される。
【００４６】
（実施形態の作用、効果）
電源装置１００は、電池２００またはＤＣ電源３００から直流の電力の供給を受ける。電源装置１００は、ＤＣ−ＤＣコンバータ１０６により、供給された直流電流を所定の電圧の直流電流に変換して出力する。出力される電圧は、第１出力電圧調整部１０８によって調整される。電源装置１００は、第２出力電圧調整部１１２により、電池の内部抵抗に相当する電気抵抗をＤＣ−ＤＣコンバータ１０６の出力に直列接続することで、電池の電力供給を模擬することができる。つまり、電源装置１００は、負荷として抵抗値の低い負荷が接続された場合でも、電池に当該負荷を接続した場合と同様な電圧の電力を出力することができる。抵抗値の低い負荷とは、例えば、電磁石（コイル）のような、電池の内部抵抗よりも低い抵抗を有する負荷である。
【００４７】
電源装置１００は、直流電流を入力とすることで、より簡易な構成で、直流電流を出力することができる。
【００４８】
以上の実施形態、具体例は、可能な限りこれらを組み合わせて実施され得る。
【符号の説明】
【００４９】
１１      ：第２出力電圧調整部
１００    ：電源装置
１０２    ：切替部
１０２１  ：電池正極端子
１０２２  ：電池負極端子
１０２３  ：ＤＣ電源正極端子
１０２４  ：スイッチ端子
１０２５  ：ＤＣ電源負極端子
１０２６  ：出力側正極端子
１０２７  ：出力側負極端子
１０４    ：電源スイッチ
１０６    ：ＤＣ−ＤＣコンバータ
１０８    ：第１出力電圧調整部
１１０    ：出力電流制限部
１１２    ：第２出力電圧調整部
１１２１  ：スイッチ
１１２２  ：抵抗
１３１    ：電源ランプ
１３２    ：正極出力端子
１３３    ：負極出力端子
１３５    ：電磁石モードスイッチ
１３６    ：通気口
１３７    ：スイッチ
１３８    ：ＤＣジャック
１４１    ：電源ランプ
１４２    ：正極出力端子
１４３    ：負極出力端子
１４５    ：電圧表示器
１４６    ：通気口
１４７    ：スイッチ
１４８    ：ＤＣジャック
２００    ：電池
３００    ：ＤＣ電源
【図１】
2020137189.tif 000003
【図２】
2020137189.tif 000004
【図３】
2020137189.tif 000005
【図４】
2020137189.tif 000006
【図５】
2020137189.tif 000007
【図６】
2020137189.tif 000008
【図７】
2020137189.tif 000009
【図８】
2020137189.tif 000010
【図９】
2020137189.tif 000011
【図１０】
2020137189.tif 000012
【図１１】
2020137189.tif 000013
【図１２】
2020137189.tif 000014
【図１３】
2020137189.tif 000015
【図１４】
2020137189.tif 000016
【図１５】
2020137189.tif 000017